(57)【特許請求の範囲】
【請求項１】
移動局が送受信するユーザデータを含むベースバンド信号の処理を実行する第１のベースバンド処理部と、前記第１のベースバンド処理部の予備系として用いられる第２のベースバンド処理部とを有する無線基地局であって、
前記第１のベースバンド処理部から前記第２のベースバンド処理部への切り替えを実行するか否かを決定する切替決定部と、
前記切替決定部によって前記第２のベースバンド処理部への切り替えが決定された場合、前記ユーザデータの送信を中止させる中止要求を送信する情報送信部と、
前記情報送信部によって前記中止要求が送信されたこと、または前記中止要求の送信の決定に基づいて、前記第１のベースバンド処理部から前記第２のベースバンド処理部への処理の引継ぎを実行する引継実行部と
を備え、
前記情報送信部は、前記ユーザデータの伝送速度を零にさせることを示す前記中止要求を送信し、
前記第１のベースバンド処理部は、複数の前記移動局にそれぞれ対応する前記ユーザデータを中継し、
前記引継実行部は、前記第１のベースバンド処理部において設定されている前記ユーザデータのパラメータを前記第２のベースバンド処理部に引き継がせる引継ぎ処理を実行し、
前記引継実行部は、所定時間内に前記第１のベースバンド処理部が受信した前記ユーザデータの量に基づいて、前記ユーザデータの量が多い前記移動局から前記引継ぎ処理を開始する無線基地局。
【請求項２】
前記情報送信部は、前記引継実行部による前記第２のベースバンド処理部への処理の引継ぎが完了した場合、前記伝送速度を上昇させることを示す通信再開要求を送信する請求項１に記載の無線基地局。
【請求項３】
前記情報送信部は、前記伝送速度を設定可能な最低の伝送速度に上昇させることを示す前記通信再開要求を送信する請求項２に記載の無線基地局。
【請求項４】
前記引継実行部は、
前記第１のベースバンド処理部において設定されている前記ユーザデータのパラメータを前記第２のベースバンド処理部に引き継がせる引継ぎ処理を実行し、
前記引継ぎ処理の完了前に前記ユーザデータを受信した場合、前記第１のベースバンド処理部において前記ユーザデータを保留させ、
前記引継ぎ処理の完了後に前記ユーザデータを受信した場合、前記第２のベースバンド処理部において前記ユーザデータを保留させる請求項１に記載の無線基地局。
【請求項５】
前記無線基地局は、3rd Generation Partnership Projectによって規定されたHSDPAに従って動作し、
前記情報送信部は、前記中止要求として、Capacity Allocationレートを0 kbpsとすることを示す通知を無線ネットワーク制御装置に送信する請求項１に記載の無線基地局。
【請求項６】
前記無線基地局は、3rd Generation Partnership Projectによって規定されたEULに従って動作し、
前記情報送信部は、前記中止要求として、Zero Grantを前記移動局に送信する請求項１に記載の無線基地局。
【請求項７】
移動局が送受信するユーザデータを含むベースバンド信号の処理を実行する第１のベースバンド処理部と、前記第１のベースバンド処理部の予備系として用いられる第２のベースバンド処理部とを有する無線通信制御システムであって、
前記第１のベースバンド処理部から前記第２のベースバンド処理部への切り替えを実行するか否かを決定する切替決定部と、
前記切替決定部によって前記第２のベースバンド処理部への切り替えが決定された場合、前記ユーザデータの送信を中止させる中止要求を送信する情報送信部と、
前記情報送信部によって前記中止要求が送信されたこと、または前記中止要求の送信の決定に基づいて、前記第１のベースバンド処理部から前記第２のベースバンド処理部への処理の引継ぎを実行する引継実行部と
を備え、
前記情報送信部は、前記ユーザデータの伝送速度を零にさせることを示す前記中止要求を送信し、
前記第１のベースバンド処理部は、複数の前記移動局にそれぞれ対応する前記ユーザデータを中継し、
前記引継実行部は、前記第１のベースバンド処理部において設定されている前記ユーザデータのパラメータを前記第２のベースバンド処理部に引き継がせる引継ぎ処理を実行し、
前記引継実行部は、所定時間内に前記第１のベースバンド処理部が受信した前記ユーザデータの量に基づいて、前記ユーザデータの量が多い前記移動局から前記引継ぎ処理を開始する無線通信制御システム。
【請求項８】
移動局が送受信するユーザデータを含むベースバンド信号の処理を実行する第１のベースバンド処理部と、前記第１のベースバンド処理部の予備系として用いられる第２のベースバンド処理部とを有する無線基地局を用いた無線通信制御方法であって、
前記第１のベースバンド処理部から前記第２のベースバンド処理部への切り替えを実行するか否かを決定するステップと、
前記決定するステップにおいて前記第２のベースバンド処理部への切り替えが決定された場合、前記ユーザデータの送信を中止させる中止要求を送信するステップと、
前記送信するステップにおいて前記中止要求が送信されたこと、または前記中止要求の送信の決定に基づいて、前記第１のベースバンド処理部から前記第２のベースバンド処理部への処理の引継ぎを実行するステップと
を備え、
前記送信するステップでは、前記ユーザデータの伝送速度を零にさせることを示す前記中止要求を送信し、
前記第１のベースバンド処理部は、複数の前記移動局にそれぞれ対応する前記ユーザデータを中継し、
前記引継を実行するステップでは、
前記第１のベースバンド処理部において設定されている前記ユーザデータのパラメータを前記第２のベースバンド処理部に引き継がせる引継ぎ処理を実行し、
所定時間内に前記第１のベースバンド処理部が受信した前記ユーザデータの量に基づいて、前記ユーザデータの量が多い前記移動局から前記引継ぎ処理を開始する無線通信制御方法。
【発明の詳細な説明】
【技術分野】
【０００１】
本発明は、移動局が送受信するユーザデータを含むベースバンド信号の処理を実行する第１のベースバンド処理部と、前記第１のベースバンド処理部の予備系として用いられる第２のベースバンド処理部とを有する無線基地局、無線通信制御システム、及び当該無線基地局を用いた無線通信制御方法に関する。
【背景技術】
【０００２】
移動局と無線信号を送受信する無線基地局は、ベースバンドにおける各種処理（例えば、移動局への通信チャネルの割り当て）を実行するベースバンド処理部を備える。
【０００３】
このような無線基地局では、ベースバンド処理部の障害や保守作業に備えて、複数のベースバンド処理部（ＢＢカード）を設けることが一般的である。具体的には、このような無線基地局では、現用系のベースバンド処理部と、予備系のベースバンド処理部とを用いた冗長構成が採用される（例えば、特許文献１）。
【０００４】
例えば、現用系のベースバンド処理部において障害が発生した場合、現用系のベースバンド処理部を介して実行されている通信に関する各種パラメータ（例えば、割り当てられている通信チャネルの情報）が、現用系のベースバンド処理部から予備系のベースバンド処理部に引き継がれる。当該パラメータの引継ぎが完了すると、現用系のベースバンド処理部による処理から、予備系のベースバンド処理部による処理に切り替えられる。
【０００５】
現用系のベースバンド処理部から予備系のベースバンド処理部への切り替えが完了するまで、移動局が送受信するユーザデータの転送は中断してしまう。このため、当該中断によって正常に伝送されずに欠落したユーザデータは、予備系のベースバンド処理部への切り替えが完了後、上位レイヤにおいて再送される。
【特許文献１】特開２００６−２６８２０４号公報（第４頁、第２図）
【発明の開示】
【発明が解決しようとする課題】
【０００６】
ところで、近年、無線区間における伝送速度が大幅に向上した無線通信方式、例えば、3rd Generation Partnership Project（3GPP）によって規定されたHigh Speed Downlink Packet Access（HSDPA）や、Enhanced UpLink（EUL）が実現されている。
【０００７】
このような無線区間における伝送速度が大幅に向上した無線通信方式では、短時間に伝送されるユーザデータの量も増大する。このため、上述した予備系のベースバンド処理部への切り替えが実行されると、欠落するユーザデータの量も増大する問題がある。また、欠落するユーザデータの量が増大すると、上位レイヤにおける再送では対処できない場合も発生し得る。
【０００８】
そこで、本発明は、このような状況に鑑みてなされたものであり、無線区間における伝送速度が大幅に向上した無線通信方式が用いられる場合において、ベースバンド処理部の切り替えが発生してもユーザデータの欠落を防止することができる無線基地局、無線通信制御システム及び無線通信制御方法を提供することを目的とする。
【課題を解決するための手段】
【０００９】
上述した問題を解決するため、本発明は、次のような特徴を有している。まず、本発明の第１の特徴は、移動局（移動局３００）が送受信するユーザデータ（ユーザデータＵＤ）を含むベースバンド信号（ベースバンド信号ＢＳ）の処理を実行する第１のベースバンド処理部（ＢＢカード２２１）と、前記第１のベースバンド処理部の予備系として用いられる第２のベースバンド処理部（ＢＢカード２２３）とを有する無線基地局（無線基地局２００）であって、前記第１のベースバンド処理部から前記第２のベースバンド処理部への切り替えを実行するか否かを決定する切替決定部（監視制御部２３０）と、前記切替決定部によって前記第２のベースバンド処理部への切り替えが決定された場合、前記ユーザデータの送信を中止させる中止要求（例えば、CAレート=0 kbpsを示す通知）を送信する情報送信部（ベースバンド信号処理部２２０）と、前記情報送信部によって前記中止要求が送信されたこと、または前記中止要求の送信の決定に基づいて、前記第１のベースバンド処理部から前記第２のベースバンド処理部への処理の引継ぎを実行する引継実行部（ベースバンド信号処理部２２０）とを備え、前記情報送信部は、前記ユーザデータの伝送速度を零にさせることを示す前記中止要求を送信することを要旨とする。
【００１０】
このような無線基地局によれば、第１のベースバンド処理部から第２のベースバンド処理部への切り替えの実行に先立って、ユーザデータの伝送速度を零にさせることを示す中止要求が移動局（或いは通信ネットワーク制御装置）に送信される。
【００１１】
このため、ベースバンド処理部の切り替えが発生してもユーザデータの欠落を防止することをユーザデータＵＤの伝送速度の制御機能を用いつつ実現できる。
【００１２】
本発明の第２の特徴は、本発明の第１の特徴に係り、前記情報送信部は、前記引継実行部による前記第２のベースバンド処理部への処理の引継ぎが完了した場合、前記伝送速度を上昇させることを示す通信再開要求（例えば、CAレート=x kbpsを示す通知）を送信することを要旨とする。
【００１３】
本発明の第３の特徴は、本発明の第２の特徴に係り、前記情報送信部は、前記伝送速度を設定可能な最低の伝送速度（Floor Grant）に上昇させることを示す前記通信再開要求を送信することを要旨とする。
【００１４】
本発明の第４の特徴は、本発明の第１の特徴に係り、前記引継実行部は、前記第１のベースバンド処理部において設定されている前記ユーザデータのパラメータを前記第２のベースバンド処理部に引き継がせる引継ぎ処理（リソース追出し）を実行し、前記引継ぎ処理の完了前に前記ユーザデータを受信した場合、前記第１のベースバンド処理部において前記ユーザデータを保留させ、前記引継ぎ処理の完了後に前記ユーザデータを受信した場合、前記第２のベースバンド処理部において前記ユーザデータを保留させることを要旨とする。
【００１５】
本発明の第５の特徴は、本発明の第１の特徴に係り、前記第１のベースバンド処理部は、複数の前記移動局にそれぞれ対応する前記ユーザデータを中継し、前記引継実行部は、前記第１のベースバンド処理部において設定されている前記ユーザデータのパラメータを前記第２のベースバンド処理部に引き継がせる引継ぎ処理（リソース追出し）を実行し、前記引継実行部は、所定時間内に前記第１のベースバンド処理部が受信した前記ユーザデータの量に基づいて、前記ユーザデータの量が多い前記移動局から前記引継ぎ処理を開始することを要旨とする。
【００１６】
本発明の第６の特徴は、本発明の第１の特徴に係り、前記無線基地局は、3rd Generation Partnership Projectによって規定されたHSDPAに従って動作し、前記情報送信部は、前記中止要求として、Capacity Allocationレートを0 kbpsとすることを示す通知を無線ネットワーク制御装置（無線ネットワーク制御装置１００）に送信することを要旨とする。
【００１７】
本発明の第７の特徴は、本発明の第１の特徴に係り、前記無線基地局は、3rd Generation Partnership Projectによって規定されたEULに従って動作し、前記情報送信部は、前記中止要求として、Zero Grantを前記移動局に送信することを要旨とする。
【００１８】
本発明の第８の特徴は、移動局が送受信するユーザデータを含むベースバンド信号の処理を実行する第１のベースバンド処理部と、前記第１のベースバンド処理部の予備系として用いられる第２のベースバンド処理部とを有する無線通信制御システム（無線基地局２００）であって、前記第１のベースバンド処理部から前記第２のベースバンド処理部への切り替えを実行するか否かを決定する切替決定部と、前記切替決定部によって前記第２のベースバンド処理部への切り替えが決定された場合、前記ユーザデータの送信を中止させる中止要求を送信する情報送信部と、前記情報送信部によって前記中止要求が送信されたこと、または前記中止要求の送信の決定に基づいて、前記第１のベースバンド処理部から前記第２のベースバンド処理部への処理の引継ぎを実行する引継実行部とを備え、前記情報送信部は、前記ユーザデータの伝送速度を零にさせることを示す前記中止要求を送信することを要旨とする。
【００１９】
本発明の第９の特徴は、移動局が送受信するユーザデータを含むベースバンド信号の処理を実行する第１のベースバンド処理部と、前記第１のベースバンド処理部の予備系として用いられる第２のベースバンド処理部とを有する無線基地局を用いた無線通信制御方法であって、前記第１のベースバンド処理部から前記第２のベースバンド処理部への切り替えを実行するか否かを決定するステップと、前記決定するステップにおいて前記第２のベースバンド処理部への切り替えが決定された場合、前記ユーザデータの送信を中止させる中止要求を送信するステップと、前記送信するステップにおいて前記中止要求が送信されたこと、または前記中止要求の送信の決定に基づいて、前記第１のベースバンド処理部から前記第２のベースバンド処理部への処理の引継ぎを実行するステップとを備え、前記送信するステップでは、前記ユーザデータの伝送速度を零にさせることを示す前記中止要求を送信することを要旨とする。
【発明の効果】
【００２０】
本発明の特徴によれば、無線区間における伝送速度が大幅に向上した無線通信方式が用いられる場合において、ベースバンド処理部の切り替えが発生してもユーザデータの欠落を防止することができる無線基地局、無線通信制御システム及び無線通信制御方法を提供することができる。
【発明を実施するための最良の形態】
【００２１】
次に、本発明の実施形態について説明する。具体的には、（１）無線通信システムの全体概略構成、（２）無線基地局の機能ブロック構成、（３）無線通信システムの動作、（４）作用・効果及び（５）その他の実施形態について説明する。
【００２２】
なお、以下の図面の記載において、同一または類似の部分には、同一または類似の符号を付している。ただし、図面は模式的なものであり、各寸法の比率などは現実のものとは異なることに留意すべきである。
【００２３】
したがって、具体的な寸法などは以下の説明を参酌して判断すべきものである。また、図面相互間においても互いの寸法の関係や比率が異なる部分が含まれていることは勿論である。
【００２４】
（１）無線通信システムの全体概略構成
図１は、本実施形態に係る無線通信システム１０の全体概略構成図である。図１に示すように、無線通信システム１０は、無線ネットワーク制御装置１００（以下、ＲＮＣ１００）、無線基地局２００及び移動局３００によって構成される。なお、無線通信システム１０に含まれる無線基地局２００及び移動局３００の数は、図１に示した数に限定されない。
【００２５】
ＲＮＣ１００は、通信ネットワーク２０に接続される。通信ネットワーク２０には、移動局３００と通信を実行する通信装置、例えば、ストリーミング配信サーバ（不図示）が接続される。
【００２６】
無線通信システム１０は、3rd Generation Partnership Project（3GPP）によって規定された無線通信方式、具体的には、W-CDMA方式を採用する。また、無線通信システム１０では、下り方向におけるデータの伝送速度を向上させたHigh Speed Downlink Packet Access（HSDPA）が導入されている。さらに、無線通信システム１０では、上り方向におけるデータの伝送速度を向上させたEnhanced UpLink（EUL）が導入されている。すなわち、ＲＮＣ１００、無線基地局２００及び移動局３００は、HSDPA及びEULに従って動作する。
【００２７】
無線基地局２００は、移動局３００と無線信号ＲＳを送受信する。また、無線基地局２００は、ＲＮＣ１００と接続される。無線基地局２００は、ＲＮＣ１００からの指示に基づいて、移動局３００と送受信する無線信号ＲＳやベースバンド信号ＢＳ（図１において不図示、図２参照）の各種パラメータを制御する。
【００２８】
（２）無線基地局の機能ブロック構成
図２は、無線基地局２００の機能ブロック構成図である。図２に示すように、無線基地局２００は、無線通信部２１０、ベースバンド信号処理部２２０、監視制御部２３０、呼処理制御部２４０及びネットワークインタフェース部２５０を備える。また、無線基地局２００には、オペレーションシステム２６０が接続される。
【００２９】
無線通信部２１０は、移動局３００と無線信号ＲＳを送受信する。また、無線通信部２１０は、無線信号ＲＳとベースバンド信号ＢＳとの変換を実行する。
【００３０】
ベースバンド信号処理部２２０は、複数のベースバンド処理部、具体的には、ＢＢカード２２１及びＢＢカード２２３によって構成される。
【００３１】
ＢＢカード２２１は、ベースバンド信号ＢＳの処理を実行する現用系のベースバンド処理部である。すなわち、通常時では、ＢＢカード２２１を用いてベースバンド信号ＢＳの処理が実行される。ベースバンド信号ＢＳには、移動局３００が送受信するユーザデータＵＤや各種の制御データ（不図示）が含まれる。本実施形態において、ＢＢカード２２１は、第１のベースバンド処理部を構成する。
【００３２】
ＢＢカード２２３は、予備系のベースバンド処理部である。具体的には、ＢＢカード２２３は、ＢＢカード２２１の予備系として用いられる。すなわち、ＢＢカード２２１の障害が発生した場合、或いはＢＢカード２２１に対して保守作業を行う場合、ＢＢカード２２１に代えて、ＢＢカード２２３を用いてベースバンド信号ＢＳの処理が実行される。本実施形態において、ＢＢカード２２３は、第２のベースバンド処理部を構成する。
【００３３】
ベースバンド信号処理部２２０は、監視制御部２３０によってＢＢカード２２１からＢＢカード２２３への切り替えが決定された場合、ユーザデータＵＤの送信を中止させる中止要求をＲＮＣ１００または移動局３００に送信する。本実施形態において、ベースバンド信号処理部２２０は、情報送信部を構成する。
【００３４】
具体的には、ベースバンド信号処理部２２０は、Capacity Allocationのレート（CAレート）が0 kbpsであることを示す通知をＲＮＣ１００に送信する。ベースバンド信号処理部２２０は、当該通知によってユーザデータＵＤのＲＮＣ１００による送信、つまり、下り方向におけるユーザデータＵＤの送信を中止させる。
【００３５】
また、ベースバンド信号処理部２２０は、Zero Grantを用いて、送信可能なユーザデータＵＤの伝送速度が0 kbpsであることを示す通知を移動局３００に送信する。ベースバンド信号処理部２２０は、当該通知によってユーザデータＵＤの移動局３００による送信、つまり、上り方向におけるユーザデータＵＤの送信を中止させる。
【００３６】
このように、ベースバンド信号処理部２２０は、ユーザデータＵＤの伝送速度を零にさせることを示す中止要求（CAレート=0 kbps，Zero Grant）を送信する。
【００３７】
また、ベースバンド信号処理部２２０は、現用系のＢＢカード２２１から予備系のＢＢカード２２３への切り替え、つまり、処理の引継ぎが完了した場合、ユーザデータＵＤの伝送速度を上昇させることを示す通信再開要求を、ＲＮＣ１００または移動局３００に送信する。
【００３８】
具体的には、ベースバンド信号処理部２２０は、CAレートが0 kbps以外であること、例えば、CAレートがx kbpsであることを示す通知をＲＮＣ１００に送信する。また、ベースバンド信号処理部２２０は、Floor Grant、つまり、設定可能な最低の伝送速度にユーザデータＵＤの伝送速度を上昇させることを示す通知を移動局３００に送信する。
【００３９】
ベースバンド信号処理部２２０は、上述した中止要求（CAレート=0 kbps，Zero Grant）が送信されたこと、または中止要求の送信の決定に基づいて、現用系のＢＢカード２２１から予備系のＢＢカード２２３への処理の引継ぎを実行する。本実施形態において、ベースバンド信号処理部２２０は、引継実行部を構成する。
【００４０】
ベースバンド信号処理部２２０は、ＢＢカード２２１において設定されているユーザデータＵＤのパラメータをＢＢカード２２３に引き継がせる引継ぎ処理を実行する。なお、本実施形態では、当該引継ぎ処理をＢＢカード２２１からＢＢカード２２３への「リソース追出し」として表現する。
【００４１】
ベースバンド信号処理部２２０は、リソース追出しの完了前にユーザデータＵＤを受信した場合、現用系のＢＢカード２２１においてユーザデータＵＤを保留させる。一方、ベースバンド信号処理部２２０は、リソース追出しの完了後にユーザデータＵＤを受信した場合、ＢＢカード２２３においてユーザデータＵＤを保留させる。
【００４２】
また、ベースバンド信号処理部２２０は、ＢＢカード２２１が受信したユーザデータＵＤの量に基づいて、ユーザデータＵＤの量が多い移動局３００からリソース追出しを開始する。
【００４３】
監視制御部２３０は、無線基地局２００を構成する各機能ブロックの監視及び制御を実行する。特に、本実施形態では、監視制御部２３０は、現用系のＢＢカード２２１から予備系のＢＢカード２２３への切り替えを実行するか否かを決定する。本実施形態において、監視制御部２３０は、切替決定部を構成する。
【００４４】
具体的には、監視制御部２３０は、ＢＢカード２２１において障害が発生しているか否かを監視する。監視制御部２３０は、ＢＢカード２２１において障害が発生していると判定した場合、予備系のＢＢカード２２３への切り替えをベースバンド信号処理部２２０に実行させる。
【００４５】
また、監視制御部２３０は、オペレーションシステム２６０からの指示に基づいて予備系のＢＢカード２２３への切り替えを実行すると判定する。例えば、ＢＢカード２２１に対して保守作業を行う場合、オペレータは、オペレーションシステム２６０を操作して、現用系から予備系への切り替えを指示する。オペレーションシステム２６０は、監視制御部２３０に対して当該切り替えを指示するコマンドを出力する。
【００４６】
呼処理制御部２４０は、ベースバンド信号処理部２２０を介して設定される呼の処理に関する制御を実行する。具体的には、呼処理制御部２４０は、新たに生起された呼（新規呼）の設定処理、具体的には、通信チャネルの設定や、終了した呼の解放処理などを実行する。
【００４７】
ネットワークインタフェース部２５０は、ＲＮＣ１００との通信を実行するためのネットワークインタフェースを提供する。具体的には、ネットワークインタフェース部２５０は、有線ＬＡＮインタフェースなどによって構成される。
【００４８】
オペレーションシステム２６０は、無線基地局２００本体に接続される。オペレーションシステム２６０は、無線基地局２００を構成する機能ブロックの状態を表示したり、特定の機能ブロックに対してコマンドを出力したりする。
【００４９】
（３）無線通信システムの動作
次に、無線通信システム１０の動作について説明する。具体的には、無線基地局２００において現用系のベースバンド処理部（ＢＢカード２２１）から予備系のベースバンド処理部（ＢＢカード２２３）への切り替えが実行される場合におけるユーザデータＵＤの制御動作について説明する。
【００５０】
（３．１）下り方向のユーザデータＵＤの制御動作
図３は、予備系のベースバンド処理部への切り替えが実行される場合における下り方向のユーザデータＵＤの制御に関する通信シーケンス図である。上述したように、本実施形態では、下り方向におけるデータの伝送速度を向上させたHigh Speed Downlink Packet Access（HSDPA）が導入されている。
【００５１】
図３に示すように、ステップＳ１０において、オペレーションシステム２６０は、カード制御指示を監視制御部２３０に送信する。具体的には、オペレーションシステム２６０は、オペレータの操作に基づいて、現用系のＢＢカード２２１から予備系のＢＢカード２２３への切り替えを指示する。
【００５２】
ステップＳ２０において、監視制御部２３０は、オペレーションシステム２６０からの切り替え指示に基づいて、閉塞処理、つまり、ユーザデータＵＤのＢＢカード２２１からＢＢカード２２３へのリソース追出しをＢＢカード２２１に対して指示する。
【００５３】
ステップＳ４０において、ＢＢカード２２１は、ユーザデータＵＤの送信を中止させる中止要求、具体的には、CAレートが0 kbpsであることを示す通知をＲＮＣ１００に送信する。なお、ステップS４０では、ｙミリ秒に設定された所定時間の満了直前のタイミングにおいて、複数のHSDPAユーザ分の中止要求（CAレート=0 kbps）がまとめて送信される。全HSDPAユーザ分の中止要求は、ｙミリ秒内に送信される。
【００５４】
当該中止要求が無線基地局２００からＲＮＣ１００に送信されることによって、ＲＮＣ１００は、High Speed Downlink Shared Channel(HS-DSCH)のFrame Protocol(FP)の送信を停止する。
【００５５】
ステップＳ５０〜S８０において、ＢＢカード２２１は、ＢＢカード２２１において設定されているユーザデータＵＤのパラメータをＢＢカード２２３に引き継がせる引継ぎ処理、いわゆるリソース追出しを実行する。
【００５６】
具体的には、呼処理制御部２４０が、セル（セクタ/キャリア）単位で設定されたHSDPAユーザ（移動局３００）が送受信するユーザデータＵＤのパラメータを、HSDPAユーザ毎にＢＢカード２２３にそれぞれ再設定する。ＢＢカード２２１からＢＢカード２２３へのリソース追出しが実行されることによって、ＢＢカード２２３は、ユーザデータＵＤの中継を再開できるようになる。
【００５７】
なお、ステップＳ６０では、ＢＢカード２２１は、High Speed Physical Downlink Shared Channel（HS-PDSCH）及びShared Control Channel for HS-DSCH（HS-SCCH）に関するパラメータの引継ぎ処理（リソース追出し）を実行する。具体的には、リソース追出しが完了したHSDPAユーザから、ＢＢカード２２３において各種パラメータの更新が順次開始される。
【００５８】
リソース追出しの対象となるHSDPAユーザのうち、高いPriority Classに設定されているHSDPAユーザは、低いPriority Classに設定されているHSDPAユーザよりも優先される。また、同一Priority Classに設定されている複数のHSDPAユーザが存在する場合、現用系のＢＢカード２２１でのユーザデータＵＤの中継量が多いHSDPAユーザが優先される。
【００５９】
また、ＢＢカード２２１は、ステップS４０の処理からｘミリ秒経過するまで、通信ネットワーク２０側から受信したユーザデータＵＤの送信を継続する。なお、ｘミリ秒は、ユーザデータＵＤを保留するバッファ（不図示）の容量に応じて設定される。
【００６０】
ステップＳ９０〜Ｓ１１０において、ＢＢカード２２３は、現用系のＢＢカード２２１から予備系のＢＢカード２２３への切り替えが完了したことに基づいて、ユーザデータＵＤの伝送速度を上昇させることを示す通信再開要求、具体的には、CAレートがx kbps（y kbps,  z kbps）であることを示す通知をＲＮＣ１００に送信する。
【００６１】
ステップＳ１２０において、ＢＢカード２２１は、閉塞処理が完了したことを監視制御部２３０に通知する。
【００６２】
ステップＳ１３０において、監視制御部２３０は、ＢＢカード２２１の状態をオペレーションシステム２６０に通知する。
【００６３】
なお、リソース追出しの処理中に新規呼が設定された場合、引継ぎ側のＢＢカード２２３において必要な処理が実行される。また、リソース追出しの処理中に他セルからのCell Change設定が実行される場合、引継ぎ側のＢＢカード２２３に対してCell Change設定が実行される。
【００６４】
また、上述した通信シーケンスでは、オペレーションシステム２６０から現用系のＢＢカード２２１から予備系のＢＢカード２２３への切り替えが指示されていたが、ＢＢカード２２１において障害が発生した場合、監視制御部２３０が、当該障害の発生を検出して、上述したステップS２０の処理を実行することもできる。
【００６５】
（３．２）上り方向のユーザデータＵＤの制御動作
図４及び図５は、予備系のベースバンド処理部への切り替えが実行される場合における上り方向のユーザデータＵＤの制御に関する通信シーケンス図である。上述したように、本実施形態では、上り方向におけるデータの伝送速度を向上させたEnhanced UpLink（EUL）が導入されている。
【００６６】
なお、以下、上述した下り方向のユーザデータＵＤの制御に関する通信シーケンスと異なる部分について主に説明し、同様の部分については、適宜説明を省略する。
【００６７】
（３．２．１）動作例１
図４に示すように、ステップＳ２１０において、オペレーションシステム２６０は、カード制御指示、具体的には、現用系のＢＢカード２２１から予備系のＢＢカード２２３への切り替え指示を監視制御部２３０に送信する。
【００６８】
ステップＳ２２０において、監視制御部２３０は、閉塞処理をＢＢカード２２１に対して指示する。
【００６９】
ステップＳ２３０において、ＢＢカード２２１は、MAC-eスケジューラを停止する。すなわち、ＢＢカード２２１は、ユーザデータＵＤの伝送速度の制御や送信タイミングの制御など、ベースバンドリソースの制御を停止する。
【００７０】
ステップＳ２４０〜S２６０において、ＢＢカード２２１は、Zero Grant、つまり、送信可能なユーザデータＵＤの伝送速度が0 kbpsであることを示す通知（中止要求）を移動局３００に送信する。なお、ステップS２４０〜S２６０では、複数のEULユーザ分のZero Grantが送信される。
【００７１】
Zero Grantが無線基地局２００から移動局３００に送信されることによって、移動局３００は、割り当てられているリソースの使用を停止、つまり、ユーザデータＵＤの送信を停止する。なお、Zero Grantの送信時におけるAbsolute Grant（移動局３００に許容する最大のE-DPDCH／DPCCHパワー比の絶対値）のScopeは、次のとおりとする。
【００７２】
・  TTI=2ms場合：  H-ARQプロセス毎
・  TTI=10ms場合：  全H-ARQプロセス
なお、TTIの値によらず、Absolute GrantのScopeを全H-ARQプロセスとしてもよい。
【００７３】
ステップＳ２７０〜Ｓ２８０において、ＢＢカード２２１は、ＢＢカード２２１において設定されているユーザデータＵＤのパラメータをＢＢカード２２３に引き継がせる引継ぎ処理、いわゆるリソース追出しを実行する。なお、ステップS２７０では、ＢＢカード２２１は、E-DCH Absolute Grant Channel（E-AGCH）、E-DCH Relative Grant Channel（E-RGCH）及びE-DCH Hybrid ARQ Indicator Channel（E-HICH）に関するパラメータの引継ぎ処理（リソース追出し）を実行する。
【００７４】
ステップＳ２９０において、ＢＢカード２２３は、現用系のＢＢカード２２１から予備系のＢＢカード２２３への切り替えが完了したことに基づいて、ユーザデータＵＤの伝送速度を上昇させることを示す通信再開要求、具体的には、Floor Grantを移動局３００に送信する。Floor Grantが移動局３００に送信されると、ＢＢカード２２３及び移動局３００は、ユーザデータＵＤ（Scheduled Transmission(ST)データ）の受信を再開する。
【００７５】
なお、NST（Non Scheduled Transmission）データは、ＢＢカード２２１からＢＢカード２２３へのリソース追出しが実行されたタイミングにおいて、ＢＢカード２２１からＢＢカード２２３による処理に切り替えられる。また、ＢＢカード２２３は、プロセスID毎に当該プロセスがActiveかInactiveかをＢＢカード２２１から引継ぐとともに、Activeであるプロセスのみを対象としてFloor Grantが送信される。
【００７６】
ステップＳ３１０において、ＢＢカード２２３は、リソース追出しが完了したEULユーザから各種パラメータの更新を順次開始する。
【００７７】
ステップＳ３２０〜Ｓ３５０では、EULユーザ毎にリソース追出し及びFloor Grantの送信が繰り返される。
【００７８】
ステップＳ３６０において、ＢＢカード２２３は、MAC-eスケジューラを再開する。すなわち、ＢＢカード２２３は、ユーザデータＵＤの伝送速度の制御や送信タイミングの制御を再開する。
【００７９】
ステップＳ３７０において、ＢＢカード２２１は、閉塞処理が完了したことを監視制御部２３０に通知する。
【００８０】
ステップＳ３８０において、監視制御部２３０は、ＢＢカード２２１の状態をオペレーションシステム２６０に通知する。
【００８１】
なお、リソース追出しの処理中に新規呼が設定された場合、引継ぎ側のＢＢカード２２３において必要な処理が実行される。新規呼の設定は、呼処理制御部２４０（CP-CNT）が受け付け、ＢＢカード２２３において当該新規呼を受け付けるかを最終的に判定する。
【００８２】
また、リソース追出しの処理中に他セルからのCell Change設定が実行される場合、引継ぎ側のＢＢカード２２３に対してCell Change設定が実行される。
【００８３】
さらに、ＢＢカード２２１の障害に伴うリソース追出しの場合、ＢＢカード２２１からZero Grantを送信できない場合があり得る。この場合、ＢＢカード２２１に代えて、ＢＢカード２２３がZero Grantを移動局３００に送信すればよい。
【００８４】
（３．２．２）動作例２
上述した動作例１では、リソース追出し元のＢＢカード２２１がActiveであるプロセスのみを対象としてFloor Grantが送信される形態であった。また、全てのEULユーザに関するリソース追出しが完了した時点でMAC-eスケジューラが再開されていた。
【００８５】
すなわち、MAC-eスケジューラの停止及び再開とは無関係に強制的に上り方向におけるユーザデータＵＤ（ベースバンド信号ＢＳ）の送信が再開される。このため、MAC-eスケジューラが再開するまで暫定的にFloor Grant（最低伝送速度）に従ってユーザデータＵＤが送受信される。ただし、リソース追出し処理、つまり、ＢＢカード２２１からＢＢカード２２３への引継ぎ処理時間が長い場合、Floor Grantに従ったユーザデータＵＤの送受信状態が長くなってしまうため、リソース追出し前の伝送速度に戻るまでに時間を要する。
【００８６】
そこで、動作例２では、ＢＢカード２２３は、各種パラメータの引継ぎ処理の完了前からMAC-eスケジューラを起動する。このため、Floor Grantは用いられず、MAC-eスケジューラに従ってユーザデータＵＤ（ベースバンド信号ＢＳ）の伝送速度が制御される。以下、動作例１と異なる部分について主に説明する。
【００８７】
図５に示すステップＳ４１０〜Ｓ４３０の処理は、動作例１のステップＳ２１０〜Ｓ２３０の処理と同様である。
【００８８】
ステップＳ４４０において、ＢＢカード２２３は、MAC-eスケジューラを起動する。本動作例では、Absolute GrantのScopeは、TTIの長さにかかわらず、全H-ARQプロセスとする。
【００８９】
ステップＳ４５０〜S４８０の処理は、動作例１のステップＳ２４０〜Ｓ２７０の処理と同様である。また、ステップＳ５１０〜Ｓ５３０の処理は、動作例１のステップＳ３１０、Ｓ３２０及びＳ３３０の処理と同様である。
【００９０】
本動作例では、全ての移動局３００がZero Grantに設定されるため、無線基地局２００は、移動局３００から送信されたScheduling Informationを受信次第、再度Scheduling Grant（SG）を割り当てる。
【００９１】
ステップＳ５４０〜S５５０の処理は、動作例１のステップＳ３７０〜Ｓ３８０の処理と同様である。
【００９２】
（３．２．３）動作例３
上述した動作例２では、EULユーザ（移動局３００）毎にZero Grantが送信される形態であった。また、全てのEULユーザに対してZero Grantが送信された後、EULユーザ毎にリソース追出しが実行されていた。
【００９３】
動作例３では、無線基地局２００は、まずリソース追出しを実行し、リソース追出しが完了したEULユーザから順次Zero Grantを送信する。つまり、ＢＢカード２２１（リソース追出し元）においてZero Grantの送信直前までユーザデータＵＤの送受信が継続される。以下、動作例２と異なる部分について主に説明する。
【００９４】
図６に示すステップＳ６１０〜Ｓ６２０の処理は、動作例２のステップＳ４１０〜Ｓ４２０の処理と同様である。
【００９５】
ステップＳ６３０において、ＢＢカード２２１は、該当するEULユーザに関するユーザデータＵＤのパラメータのＢＢカード２２３へのリソース追出しを実行する。なお、ＢＢカード２２３へのリソース追出しに代えて、呼処理制御部２４０からＢＢカード２２３に対して当該パラメータを再設定してもよい。
【００９６】
ステップＳ６４０〜Ｓ６５０の処理は、動作例２のステップＳ４３０〜Ｓ４４０の処理と同様である。
【００９７】
ステップＳ６６０において、引き続き該当するEULユーザに関するユーザデータＵＤのパラメータのＢＢカード２２３へのリソース追出しを実行する。ステップS６６０では、ＢＢカード２２１は、E-AGCH、E-RGCH、E-HICH及びNSTデータを対象としたリソース追出しを実行する。
【００９８】
ステップＳ６７０において、ＢＢカード２２３は、リソース追出しが完了したEULユーザを対象として、該当する移動局３００にZero Grantを送信する。また、リソース追出しが完了後、ＢＢカード２２３は、ユーザデータＵＤ（STデータ）の受信を再開する。
【００９９】
ステップＳ６８０において、引き続き該当するEULユーザに関するユーザデータＵＤのパラメータのＢＢカード２２３へのリソース追出しを実行する。ステップＳ６８０では、ＢＢカード２２１は、E-HICH及びNSTデータを対象としたリソース追出しを実行する。
【０１００】
ステップＳ６９０において、ＢＢカード２２３は、ステップＳ６７０と同様に該当する移動局３００にZero Grantを送信する。具体的には、ＢＢカード２２３は、ステップＳ６８０の処理によってリソース追出しが完了したEULユーザを対象として、該当する移動局３００にZero Grantを送信する。
【０１０１】
ステップＳ７００において、ＢＢカード２２３は、リソース追出しが完了したEULユーザから各種パラメータの更新を順次開始する。
【０１０２】
ステップＳ７１０〜Ｓ７２０では、EULユーザ毎にリソース追出し及びZero Grantの送信が繰り返される。
【０１０３】
ステップＳ７３０〜Ｓ７４０の処理は、動作例２のステップＳ５４０〜Ｓ５５０の処理と同様である。
【０１０４】
（４）作用・効果
無線基地局２００によれば、ＢＢカード２２１からＢＢカード２２３への切り替えの実行に先立って、ユーザデータＵＤの送信を中止させる中止要求（CAレート=0 kbps，Zero Grant）が移動局３００或いはＲＮＣ１００に送信される。
【０１０５】
このため、ＢＢカードの切り替えが発生してもユーザデータＵＤの欠落を防止することをユーザデータＵＤの伝送速度の制御機能を用いつつ実現できる。
【０１０６】
本実施形態では、ＢＢカード２２３への切り替えが完了した場合、ユーザデータＵＤの伝送速度を上昇させることを示す通信再開要求（CAレート=x kbps，Floor Grant）が送信される。このため、ＢＢカード２２３への切り替えが完了した場合、無線基地局２００から強制的にユーザデータＵＤの送信を再開させることができる。
【０１０７】
また、ユーザデータＵＤの送信の再開時には、Floor Grant、つまり、最低伝送速度で移動局３００にユーザデータＵＤを送信させるため、MAC-eスケジューラが起動（再開）していない場合でも、ユーザデータＵＤを徐々に送信させることによってユーザデータＵＤの欠落をより確実に防止できる。
【０１０８】
本実施形態では、リソース追出しの完了前にユーザデータＵＤを無線基地局２００が受信した場合、ＢＢカード２２１においてユーザデータＵＤを保留させ、リソース追出しの完了後にユーザデータＵＤを無線基地局２００が受信した場合、ＢＢカード２２３においてユーザデータＵＤを保留させる。このため、ＢＢカードの切り替え時において、ユーザデータＵＤが欠落することをより確実に防止することができる。
【０１０９】
また、ベースバンド信号処理部２２０は、所定時間内にＢＢカード２２１が受信したユーザデータＵＤの量に基づいて、ユーザデータＵＤの量が多い移動局３００（HSDPAユーザまたはEULユーザ）からリソース追出しを開始する。このためユーザデータＵＤが欠落する可能性が高いユーザのユーザデータＵＤの欠落をより確実に防止することができる。
【０１１０】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１１１】
例えば、上述した本発明の実施形態では、リソース追出しの完了前にユーザデータＵＤを無線基地局２００が受信した場合、ＢＢカード２２１においてユーザデータＵＤを保留させ、リソース追出しの完了後にユーザデータＵＤを無線基地局２００が受信した場合、ＢＢカード２２３においてユーザデータＵＤを保留させたが、このような処理は、必ずしも実行されなくても構わない。
【０１１２】
上述した実施形態では、ユーザデータＵＤの量が多い移動局３００からリソース追出しが開始されていたが、このような処理も、必ずしも実行されなくても構わない。
【０１１３】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１１４】
【図１】本発明の実施形態に係る無線通信システム１０の全体概略構成図である。
【図２】本発明の実施形態に係る無線基地局２００の機能ブロック構成図である。
【図３】本発明の実施形態に係る予備系のベースバンド処理部への切り替えが実行される場合における下り方向のユーザデータＵＤの制御に関する通信シーケンス図である。
【図４】本発明の実施形態に係る予備系のベースバンド処理部への切り替えが実行される場合における上り方向のユーザデータＵＤの制御に関する通信シーケンス図（動作１）である。
【図５】本発明の実施形態に係る予備系のベースバンド処理部への切り替えが実行される場合における上り方向のユーザデータＵＤの制御に関する通信シーケンス図（動作２）である。
【図６】本発明の実施形態に係る予備系のベースバンド処理部への切り替えが実行される場合における上り方向のユーザデータＵＤの制御に関する通信シーケンス図（動作３）である。
【符号の説明】
【０１１５】
１０…無線通信システム、２０…通信ネットワーク、１００…ＲＮＣ、１００…無線ネットワーク制御装置、２００…無線基地局、２１０…無線通信部、２２０…ベースバンド信号処理部、２２１，２２３…ＢＢカード、２３０…監視制御部、２４０…呼処理制御部、２５０…ネットワークインタフェース部、２６０…オペレーションシステム、３００…移動局、ＢＳ…ベースバンド信号、ＲＳ…無線信号、ＵＤ…ユーザデータ
【図１】
0005081636.tif 000002
【図２】
0005081636.tif 000003
【図３】
0005081636.tif 000004
【図４】
0005081636.tif 000005
【図５】
0005081636.tif 000006
【図６】
0005081636.tif 000007